(57)【要約】【課題】  メディアケースを準備する際の手間を少なくする。メディアケースの付加価値を高める。【解決手段】  フィルムカメラやデジタルカメラ等により撮影された画像をデジタルデータとしてＣＤ−Ｒ等の記録媒体に記録する際、この記録媒体を収容するためのケース（メディアケース）の展開図を印画紙に露光／印刷して出力する。展開図がプリントされたこの印画紙を切り取り・折り曲げ・貼り付け等することによりメディアケースができあがる。【選択図】  図１
2005349803.tif 000002
【特許請求の範囲】
【請求項１】
カメラにより撮影された画像をデジタルデータとして記録媒体に記録する機能を有する写真処理装置であって、
前記記録媒体を収容可能なケースの展開図であるテンプレートを記憶する記憶手段と、
前記記憶手段に記憶されているテンプレートをプリント用紙にプリントするプリント手段とを備える、
ことを特徴とする写真処理装置。
【請求項２】
請求項１において、
前記記憶手段には、
前記記録媒体の種類に応じた複数のテンプレートが記憶されており、
前記プリント手段は、
前記記憶手段に記憶されている複数のテンプレートのうち画像を記録すべき記録媒体に応じたテンプレートを選択し、選択したテンプレートをプリント用紙にプリントする、
ことを特徴とする写真処理装置。
【請求項３】
請求項１または２において、
前記記憶手段に記憶されているテンプレートには画像表示領域が設けられており、
前記プリント手段は、
前記テンプレートの画像表示領域に任意の画像を合成した後に当該テンプレートと前記任意の画像との合成画像をプリント用紙にプリントする、
ことを特徴とする写真処理装置。
【請求項４】
請求項１または２において、
前記プリント手段は、
前記記録媒体に記録すべき画像のサムネイルを前記テンプレートの画像表示領域に合成した後に当該テンプレートと前記サムネイルとの合成画像をプリント用紙にプリントする、
ことを特徴とする写真処理装置。
【発明の詳細な説明】
【技術分野】
【０００１】
本発明は、フィルムカメラやデジタルカメラ等により撮影された画像をデジタルデータとしてＣＤ−Ｒ等のメディア（記録媒体）に記録する機能を有する写真処理装置に関する。
【背景技術】
【０００２】
近年、写真ラボ店では、フィルムカメラやデジタルカメラ等で撮影された画像を印画紙にプリント出力するサービスだけではなく、これらの画像をデジタルデータとしてＣＤ−Ｒ等のメディア（記録媒体）に記録し、このメディアをケースに収納して顧客に提供するサービスも行われている。また、メディアに記録させた画像のインデックスプリントを作成し、これをメディアとともにケースに収納して提供することも行われている。
【特許文献１】特開２０００−９８５０４号公報
【特許文献２】特開平１１−２３４５０６号公報
【発明の開示】
【発明が解決しようとする課題】
【０００３】
ＣＤ−Ｒ等のメディアへの画像出力サービスにおいて、メディアのケース（入れ物）としては、もともとブランクメディアに付属していたプラスチックケースや、別途用意されたプラスチックケース、大量生産された紙ケースやビニールケース等が一般的に用いられている。そのため、ケースに独自デザインでオリジナリティを出したり何らかの付加価値をつけたりするのが難しい。また、プラスチックケースは容量もとる（かさばる）。別途メディア用ケースを用意する場合は仕入れの手間が発生し、在庫管理の必要もある。
【課題を解決するための手段】
【０００４】
本発明による写真処理装置は、カメラにより撮影された画像をデジタルデータとして記録媒体に記録する機能を有する写真処理装置であって、前記記録媒体を収容可能なケースの展開図であるテンプレートを記憶する記憶手段と、前記記憶手段に記憶されているテンプレートをプリント用紙にプリントするプリント手段とを備えることを特徴とする。
【０００５】
上記写真処理装置において、前記記憶手段には、前記記録媒体の種類に応じた複数のテンプレートが記憶されており、前記プリント手段は、前記記憶手段に記憶されている複数のテンプレートのうち画像を記録すべき記録媒体に応じたテンプレートを選択し、選択したテンプレートをプリント用紙にプリントする、ことが好ましい。
【０００６】
上記写真処理装置において、前記記憶手段に記憶されているテンプレートには画像表示領域が設けられており、前記プリント手段は、前記テンプレートの画像表示領域に任意の画像を合成した後に当該テンプレートと前記任意の画像との合成画像をプリント用紙にプリントする、ことが好ましい。
【０００７】
上記写真処理装置において、前記プリント手段は、前記記録媒体に記録すべき画像のサムネイルを前記テンプレートの画像表示領域に合成した後に当該テンプレートと前記サムネイルとの合成画像をプリント用紙にプリントする、ことが好ましい。
【発明の効果】
【０００８】
本発明による写真処理装置は、フィルムカメラやデジタルカメラ等により撮影された画像をプリント用紙に露光／印刷する機能（写真プリント処理）に加えて、これらの画像をデジタルデータとしてＣＤ−Ｒ等の記録媒体に記録する機能も備えている。フィルムカメラやデジタルカメラ等により撮影された画像をデジタルデータとしてＣＤ−Ｒ等の記録媒体に記録する際、この記録媒体を収容するためのケース（以下、メディアケースという。）の展開図をプリント用紙に露光／印刷して出力する。展開図がプリントされたこのプリント用紙を切り取り・折り曲げ・貼り付け等することによりメディアケースができあがる。
【０００９】
このように、写真処理装置のメイン処理である写真プリント作成時に用いられるプリント用紙をメディアケースの材料としているため、メディアケース用の材料を別途に準備する必要がなく、プラスチックケース等のメディアケースを別途に用意する（仕入れる）必要もない。また、記録媒体へ画像を記録するたびにその記録媒体についてのメディアケースの展開図をプリント用紙にプリントすることができるため、メディアケースの在庫管理をする必要もない。さらには、メディアケースを作成するための追加ハードウェアも特に必要とされない。
【００１０】
また、メディアケースのテンプレートには任意の画像を合成することができるため、オリジナルデザインのメディアケースを作成したり、記録媒体に格納されている画像のサムネイルをこのメディアケースに露光／印刷したりすることにより、メディアケースの付加価値を高めることができる。
【発明を実施するための最良の形態】
【００１１】
本発明の実施形態による写真処理装置の機能ブロック図を図１に示す。この写真処理装置は、フィルムカメラやデジタルカメラ等により撮影された画像を印画紙に露光／印刷する機能（写真プリント処理）に加えて、これらの画像をデジタルデータとしてＣＤ−Ｒ等の記録媒体（メディア）に記録する機能も備えている。この写真処理装置は、画像入力部１０と、画像処理部２０と、操作部３０と、モニタ４０と、書き込み処理部５０と、露光／印刷処理部６０と、テンプレートＤＢ（データベース）７０とを備える。
【００１２】
画像入力部１０は、フィルムカメラやデジタルカメラ等により撮影された画像を読み込んで画像処理部２０へ送る。画像入力部１０は、フィルムカメラで撮影された画像を読み込む場合には、フィルムに記録されている画像をフィルムスキャンによりデジタル画像データに変換して画像処理部２０へ送り、デジタルカメラで撮影された画像を読み込む場合には、デジタル画像データが格納されている記録媒体（メモリカード等）から当該デジタル画像データを読み出して画像処理部２０へ送る。
【００１３】
画像処理部２０は、この写真処理装置で取り扱う画像データに対する種々の処理を行う。たとえば、画像入力部１０からのデジタル画像データに対するプリジャッジを行ったり、プリジャッジ処理後のデジタル画像データをプリント指示とともに露光／印刷処理部６０へ送る処理を行ったり、プリジャッジ処理後のデジタル画像データを書き込み指示とともに書き込み処理部５０へ送る処理を行ったり、テンプレートＤＢ７０に格納されているテンプレート画像を読み出してプリント指示とともに露光／印刷処理部６０へ送る処理を行ったりする。
【００１４】
操作部３０は、この写真処理装置を使用するオペレータからの指示を受け付け、この指示に従って画像処理部２０を制御する。
【００１５】
モニタ４０は、画像処理部２０からの画像データを画面に表示する。
【００１６】
書き込み処理部５０は、画像処理部２０からのデジタル画像データをＣＤ−Ｒ等のメディアに書き込む。
【００１７】
露光／印刷処理部６０は、画像処理部２０からのデジタル画像データを印画紙に露光し、露光された印画紙を現像処理して乾燥し、プリントを作成する。
【００１８】
テンプレートＤＢ７０には、メディアを収容するためのケース（以下、メディアケースという。）の展開図となっているテンプレート画像データがメディアの種別（メディアのサイズ、たとえばＣＤ−Ｒ、メモリカード、ＭＯ等）ごとに複数種類格納されている。ここでは図２（ａ）〜（ｃ）に示すように、３つのタイプ（Ａ〜Ｃ）のテンプレート画像データが各メディアについて格納されている。図２（ａ）に示すタイプＡのテンプレート画像データは、自由なデザインのテンプレート画像であり、あらかじめさまざまなデザインのテンプレート画像データが用意されている。図２（ｂ）に示すタイプＢのテンプレート画像データは、メディア内の画像のインデックス（サムネイル）を合成可能なタイプのテンプレート画像であり、サムネイルを合成するための領域１１０が複数設けられている。図２（ｃ）に示すタイプＣのテンプレート画像データは、任意の画像を合成可能なタイプのテンプレート画像であり、任意の画像を合成するための領域１２０が複数設けられている。
【００１９】
次に、以上のように構成された写真処理装置により行われる処理について図２を参照しつつ説明する。
【００２０】
＜ＳＴ１０１＞
まず、フィルムカメラやデジタルカメラ等により撮影された画像を記録するメディア（ＣＤ−Ｒ、メモリカード、ＭＯ等）の選択を促す画面がモニタ４０に表示される。モニタに表示される指示に従ってオペレータはメディアを選択する。次に、選択したメディアを収納するためのケース（メディアケース）のデザインの選択を促す画面がモニタ４０に表示される。ここでは図２（ａ）〜（ｃ）に示した３つのタイプ（Ａ〜Ｃ）からの選択を促す画面が表示される。モニタ４０に表示される指示に従ってオペレータはメディアケースのデザインを選択する。なお、タイプＡ（自由なデザインのテンプレート画像）が選択された場合には、あらかじめ用意されたさまざまなデザインのテンプレート画像データの中から所望のテンプレート画像の選択を促す画面がさらに表示される。
【００２１】
＜ＳＴ１０２＞
次に、フィルムカメラやデジタルカメラ等により撮影された画像が画像入力部１０により読み込まれ画像処理部２０へ送られる。
【００２２】
＜ＳＴ１０３＞
画像入力部１０からのデジタル画像データに対するプリジャッジが行われる。
【００２３】
＜ＳＴ１０４＞
プリジャッジ処理後のデジタル画像データをプリントする必要がある場合はステップＳＴ１０５にすすみ、必要がない場合はステップＳＴ１０６にすすむ。
【００２４】
＜ＳＴ１０５＞
露光／印刷処理部６０は、プリジャッジ処理後のデジタル画像データを印画紙に露光し、露光された印画紙を現像処理して乾燥し、プリントを作成する。
【００２５】
＜ＳＴ１０６＞
書き込み処理部５０は、ステップＳＴ１０１で選択されたメディアにプリジャッジ処理後のデジタル画像データを書き込む。
【００２６】
次に、ステップＳＴ１０１で選択されたタイプＡ〜Ｃに応じて以下の処理が行われる。
【００２７】
＜ＳＴ２０１＞
ステップＳＴ１０１においてタイプＡ（自由なデザインのテンプレート画像）が選択された場合は、ステップＳＴ１０１において選択されたメディアについてのタイプＡのテンプレート画像データがテンプレートＤＢ７０から読み出され露光／印刷処理部６０に送られる。露光／印刷処理部６０は、このテンプレート画像データを印画紙に露光し、露光された印画紙を現像処理して乾燥し、プリントを作成する。
【００２８】
＜ＳＴ３０１＞
ステップＳＴ１０１においてタイプＢ（メディア内の画像のインデックス）が選択された場合、画像処理部２０は、ステップＳＴ１０１において選択されたメディアについてのタイプＢのテンプレート画像データのサムネイル合成領域１１０（図２（ｂ））に、そのメディアにステップＳＴ１０６において記録された画像データのサムネイルを合成する。ステップＳＴ１０６において記録された画像データのうちサムネイルとして合成する画像データはオペレータが選択するようにしてもよいし画像処理部２０が任意に選択するようにしてもよい。
【００２９】
＜ＳＴ３０２＞
ステップＳＴ３０１によりサムネイルが合成されたテンプレート画像データは露光／印刷処理部６０に送られる。露光／印刷処理部６０は、このテンプレート画像データを印画紙に露光し、露光された印画紙を現像処理して乾燥し、プリントを作成する。
【００３０】
＜ＳＴ４０１＞
ステップＳＴ１０１においてタイプＣ（任意画像を合成可能なテンプレート画像）が選択された場合、合成する画像およびその画像を合成する位置（複数の合成領域１２０（図２（ｃ））のうちのいずれか）の選択を促す画面がモニタ４０に表示される。モニタ４０に表示される指示に従ってオペレータは合成する画像およびその画像を合成する位置を選択する。
【００３１】
＜ＳＴ４０２＞
画像処理部２０は、ステップＳＴ１０１において選択されたメディアについてのタイプＣのテンプレート画像データの画像合成領域１２０（図２（ｃ））の各々にステップＳＴ４０１で選択された画像データを合成する。
【００３２】
＜ＳＴ４０３＞
ステップＳＴ４０２によりサムネイルが合成されたテンプレート画像データは露光／印刷処理部６０に送られる。露光／印刷処理部６０は、このテンプレート画像データを印画紙に露光し、露光された印画紙を現像処理して乾燥し、プリントを作成する。
【００３３】
以上のような処理により印画紙にプリントされたテンプレート画像データ（ここでは、タイプＢ）の例を図４（ａ）に示す。このテンプレート画像を印画紙から切り取り、切り込み、貼り付け、折り曲げ等を行うことにより（図４（ａ）〜（ｄ））、メディアケースが完成する（図４（ｅ））。
【００３４】
以上に説明したように本発明の実施形態による写真処理装置は、通常の写真プリント作成時に用いられる印画紙をメディアケースの材料としているため、メディアケース用の材料を別途に準備する必要がなく、プラスチックケース等のメディアケースを別途に用意する（仕入れる）必要もない。また、メディアへ画像を記録するたびにメディアケースの展開図を印画紙にプリントすることができるため、メディアケースの在庫管理をする必要もない。さらには、メディアケースを作成するための追加ハードウェアも特に必要とされない。
【００３５】
また、メディアケースには任意の画像を合成することができるため、オリジナルデザインのメディアケースを作成したり、メディアに格納されている画像のサムネイルをこのメディアケースに露光／印刷したりすることにより、メディアケースの付加価値を高めることができる。
【産業上の利用可能性】
【００３６】
本発明による写真処理装置は、写真プリント作成時に用いられるプリント用紙をメディアケースの材料としているため、カメラで撮影した画像をＣＤ−Ｒ等のメディアに記録しこのメディアをメディアケースとともに顧客に提供するサービスを低コストで行うことが可能となる。また、メディアケースのテンプレートには任意の画像を合成することができるため、オリジナルデザインのメディアケースを作成したり、記録媒体に格納されている画像のサムネイルをこのメディアケースに露光／印刷したりすることにより、付加価値の高いメディアケースを提供することが可能となる。
【００３７】
なお、本発明の実施形態においてはテンプレート画像データを印画紙に露光し、露光された印画紙を現像処理して乾燥することでプリントを作成したが、これに限定されず、例えば、インクジェットプリンタを用いてプリント用紙に直接印刷することでプリントを作成しても良い。
【図面の簡単な説明】
【００３８】
【図１】本発明の実施形態による写真処理装置の構成を示すブロック図である。
【図２】メディアケースのテンプレート画像の例を示す図である。
【図３】図１に示した写真処理装置により行われる処理の流れを示すフローチャートである。
【図４】印画紙にプリントされたテンプレート画像からメディアケースを作成する手順を示す図である。
【符号の説明】
【００３９】
１０  画像入力部
２０  画像処理部
３０  操作部
４０  モニタ
５０  書き込み処理部
６０  露光／印刷処理部
７０  テンプレートＤＢ（データベース）
【図１】
2005349803.tif 000003
【図２】
2005349803.tif 000004
【図３】
2005349803.tif 000005
【図４】
2005349803.tif 000006